【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
情報パケットをフォーリン・ネットワーク上でローカルに処理すべきなのか前記パケットをホーム・ネットワーク上のホーム・エージェントに逆トンネリングすべきなのかを選択的に判定する方法であって、
前記フォーリン・ネットワーク上のフォーリン・エージェントで前記フォーリン・ネットワーク上に配置された前記モバイル・ノードから情報パケットを受信するステップと、
前記情報パケットを前記フォーリン・ネットワーク上でローカルに処理しなければならないのか前記ホーム・ネットワークに逆トンネリングしなければならないのかを判定するために前記情報パケットを前記フォーリン・エージェントで分析するステップと、
前記情報パケットがカプセル化されておらず、予約済み宛先アドレス指定を所有する場合に、前記パケットを前記ローカル・フォーリン・ネットワーク上で選択的に処理するステップと、
前記情報パケットがカプセル化されている場合または前記情報パケットが前記予約済み宛先アドレスと一致しない宛先アドレス指定を所有する場合に、前記ホーム・ネットワークへの逆トンネリングのために前記情報パケットを選択的に処理するステップと
を含む方法。
【請求項２】
前記予約済み宛先アドレス指定が、ブロードキャスト／マルチキャスト・アドレス指定である、請求項１に記載の方法。
【請求項３】
前記フォーリン・エージェントが、登録プロセス中に確立された形に基づいて情報パケット配送を選択的に処理する、請求項１に記載の方法。
【請求項４】
ホーム・エージェントおよびホーム・ネットワークＡＡＡサーバを有するホーム・ネットワークと、
モバイル・ノードから情報パケットを受信するフォーリン・エージェントを有するフォーリン・ネットワークであって、前記フォーリン・エージェントは、前記情報パケットがカプセル化されており、情報パケット送信の前に設定される予約済み宛先指定を含むかどうかに基づいて、前記パケットをローカル・フォーリン・ネットワーク上で選択的に処理し、またはある種の情報パケットを前記ホーム・ネットワーク上の前記ホーム・エージェントに逆トンネリングする、フォーリン・ネットワークと
を含む通信システム。
【請求項５】
前記フォーリン・エージェントは、前記情報パケットがカプセル化されておらず、予約済み宛先指定ではないユニキャスト宛先アドレス指定を有する場合に、前記パケットを前記ホーム・エージェントに逆トンネリングする、請求項４に記載の通信システム。
【請求項６】
前記フォーリン・エージェントは、前記情報パケットがカプセル化されている場合に、前記パケットを前記ホーム・エージェントに逆トンネリングする、請求項４に記載の通信システム。
【請求項７】
前記フォーリン・エージェントは、前記情報パケットがカプセル化されておらず、予約済み宛先アドレス指定を有する場合に、前記パケットを前記ホーム・エージェントに逆トンネリングせずに前記パケットをローカルに処理する、請求項４に記載の通信システム。
【請求項８】
前記フォーリン・エージェントが情報パケット配送を選択的に処理する形が、登録プロセス中に確立される、請求項４に記載の通信システム。
【請求項９】
前記フォーリン・エージェントは、前記情報パケットがカプセル化されてはいないが予約済み宛先指定ではないユニキャスト宛先アドレス指定を有する場合に、前記パケットを前記ホーム・エージェントに逆トンネリングする、請求項８に記載の通信システム。
【請求項１０】
前記フォーリン・エージェントは、前記情報パケットがカプセル化されている場合に、前記パケットを前記ホーム・エージェントに逆トンネリングする、請求項８に記載の通信システム。
【請求項１１】
前記フォーリン・エージェントは、前記情報パケットがカプセル化されておらず、予約済み宛先アドレス指定を有する場合に、前記パケットを前記ホーム・エージェントに逆トンネリングせずに前記パケットをローカルに処理する、請求項８に記載の通信システム。
【請求項１２】
情報パケットをフォーリン・ネットワーク上でローカルに処理すべきなのか前記情報パケットをホーム・ネットワーク上のホーム・エージェントに逆トンネリングすべきなのかを選択的に判定する方法であって、
前記フォーリン・ネットワーク上のフォーリン・エージェントで前記フォーリン・ネットワーク上に配置された前記モバイル・ノードから情報パケットを受信するステップと、
前記情報パケットを前記フォーリン・ネットワーク上でローカルに処理しなければならないのか前記ホーム・ネットワークに逆トンネリングしなければならないのかを判定するために前記情報パケットを前記フォーリン・エージェントで分析するステップと、
前記情報パケットがカプセル化され予約済み宛先アドレス指定を所有するかどうかに基づいて、前記情報パケットを前記ローカル・フォーリン・ネットワーク上で選択的に処理するか、前記情報パケットを前記モバイル・ノードの前記ホーム・ネットワークに逆トンネリングするステップと
を含む方法。
【請求項１３】
ローカル処理に関する前記予約済みアドレス指定が、情報パケット内のブロードキャスト／マルチキャスト・アドレス指定である、請求項１２に記載の方法。
【請求項１４】
逆トンネリングに関する前記予約済みアドレス指定が、前記情報パケット内のホーム・エージェント・アドレス・ソース指定である、請求項１２に記載の方法。
【請求項１５】
ローカル処理に関する前記予約済みアドレス指定が、前記情報パケット内のフォーリン・エージェント・アドレス宛先指定である、請求項１２に記載の方法。
【請求項１６】
前記情報パケットが、前記フォーリン・エージェントに送信された時にカプセル化されている場合に逆トンネリングのために処理される、請求項１２に記載の方法。
【請求項１７】
前記フォーリン・エージェントが、登録プロセス中に確立された形に基づいて情報パケット配送を選択的に処理する、請求項１２に記載の方法。
【請求項１８】
ホーム・エージェントおよびホーム・ネットワークＡＡＡサーバ・コンピュータを有するホーム・ネットワークと、
モバイル・ノードから情報パケットを受信するフォーリン・エージェントを有するフォーリン・ネットワークであって、前記フォーリン・エージェントは、前記情報パケットがカプセル化されており、情報パケット送信の前に設定される予約済み宛先指定を含むかどうかに基づいて、前記パケットをローカル・フォーリン・ネットワーク上で選択的に処理し、またはある種の情報パケットを前記ホーム・ネットワーク上の前記ホーム・エージェントに逆トンネリングし、前記フォーリン・エージェントは、前記情報パケットがカプセル化されておらず、予約済み宛先アドレス指定を所有する場合に、前記パケットを前記ローカル・フォーリン・ネットワーク上で処理し、あるいは、前記情報パケットがカプセル化されている場合または前記パケットが前記予約済み宛先アドレスと一致しないアドレス指定を所有する場合に、前記ホーム・ネットワークへの逆トンネリングのために前記パケットを処理する、フォーリン・ネットワークと
を含む通信システム。
【請求項１９】
ローカル処理に関する前記予約済みアドレス指定が、情報パケット内のブロードキャスト／マルチキャスト・アドレス指定である、請求項１８に記載のシステム。
【請求項２０】
逆トンネリングに関する前記予約済みアドレス指定が、前記情報パケット内のホーム・エージェント・アドレス・ソース指定である、請求項１８に記載のシステム。
【請求項２１】
ローカル処理に関する前記予約済みアドレス指定が、前記情報パケット内のフォーリン・エージェント・アドレス宛先指定である、請求項１８に記載のシステム。
【請求項２２】
前記情報パケットが、前記フォーリン・エージェントに送信された時にカプセル化されている場合に逆トンネリングのために処理される、請求項１８に記載のシステム。
【請求項２３】
前記フォーリン・エージェントが、登録プロセス中に確立された形に基づいて情報パケット配送を選択的に処理する、請求項１８に記載のシステム。